(57)【要約】【課題】無駄な電力の消費を防ぐことを可能にする。【解決手段】撮像装置（１００）は、接眼可能なファインダと、前記ファインダに物体が近付いたことを検知するための近接検知手段と、前記ファインダに装着可能な前記ファインダを遮光する遮光物と、前記近接検知手段による被検出物体が前記遮光物か否かを判定する近接物体判定手段と、前記近接物体判定手段により近接物体が前記遮光物であると判定された場合には、前記ファインダを消灯するように制御する制御手段とを有する。【選択図】図１
2018207425.tif 000002
【特許請求の範囲】
【請求項１】
接眼可能なファインダと、
前記ファインダに物体が近付いたことを検知するための近接検知手段と、
前記ファインダに装着可能な前記ファインダを遮光する遮光物と、
前記近接検知手段による被検出物体が前記遮光物か否かを判定する近接物体判定手段と、
前記近接物体判定手段により近接物体が前記遮光物であると判定された場合には、前記ファインダを消灯するように制御する制御手段と、
を有することを特徴とする撮像装置。
【請求項２】
前記撮像装置の電源がオンであるか否かを検出する電源検出手段をさらに有し、前記撮像装置の電源がオンであることを検出した際に、前記近接検知手段によって近接物体を検出した場合は、近接物体を前記遮光物であると判定することを特徴とする請求項１に記載の撮像装置。
【発明の詳細な説明】
【技術分野】
【０００１】
本発明は、電子ビューファインダなどの表示装置を有する撮像装置に関する。
【背景技術】
【０００２】
デジタルカメラやビデオカメラ等の撮像装置には、そのファインダとして電子ビューファインダ（以下、ＥＶＦという）を有するものがある。このＥＶＦ用の表示パネルは、液晶表示パネルや有機ＥＬパネルが一般的に使用されている。
【０００３】
このような撮像装置における電子ビューファインダにおいて、ファインダの非使用時に覗き込み用の接眼部からＥＶＦ用の表示パネルに太陽光が入射し、表示パネルの表面に焦点を結ぶと、表示パネルが焼けてしまう。特に、表示パネル前面に配置される偏光板が高輝度の光線に弱く、表示画質の低下になってしてしまう。特に、接眼レンズ（ルーペレンズともいう）が高倍率になると、太陽光が集中されるので、損傷の恐れが大きい。
【０００４】
そこで、特許文献１では、接眼レンズを観察可能位置と観察不可能位置で移動させることができ、ＥＶＦを使用していないときは、観察不可能位置に接眼レンズを移動させている。
【０００５】
一方、撮像装置においては、ユーザーがファインダを使用しているかどうかを判別するために近接検知装置を有するものが知られている。近接検知装置の概略構成としては、投光部と受光部とを有し、投光部から赤外光を発し、受光部に到達した反射赤外光の量に応じて近接物体の有無を判別するものが一般的に知られている。
【０００６】
例えば、近接検知装置によってユーザーがファインダを使用していないことが検知された場合は、不要な電力消費を回避するため、ファインダを消灯するようにしている。また、有機ＥＬパネルは、時間の経過に従って輝度が劣化することが知られており、ユーザーがファインダを使用していない場合は、有機ＥＬパネルを点灯させないように制御することが望ましい。
【先行技術文献】
【特許文献】
【０００７】
【特許文献１】特開２００３−１５３０４８号公報
【発明の概要】
【発明が解決しようとする課題】
【０００８】
しかしながら、特許文献１に記載された方法では、ファインダユニットが複雑となり大きくなってしまう。また、機構が複雑となってしまうため、コストを抑えることが難しい。そこで、簡単に太陽光による焼けを防ぐためには、ファインダユニットを遮光するフタを設けることが挙げられる。しかしながら、フタを装着すると近接物体と検知しＥＶＦを点灯してしまい、無駄な電力を消費してしまう。また、表示パネルが有機ＥＬの場合は、不要な点灯により輝度劣化を早めてしまう。
【０００９】
そこで、本発明は、近接物体がフタであることを判定し、近接物体がフタである場合はファインダを消灯することで、無駄な電力の消費を抑制可能な撮像装置を提供することを目的とする。
【課題を解決するための手段】
【００１０】
上記の目的を達成するために、本発明に係る撮像装置は、
接眼可能なファインダと、前記ファインダに物体が近付いたことを検知するための近接検知手段と、前記ファインダに装着可能な前記ファインダを遮光する遮光物と、前記近接検知手段による被検出物体が前記遮光物か否かを判定する近接物体判定手段と、前記近接物体判定手段により近接物体が前記遮光物であると判定された場合には、前記ファインダを消灯するように制御する制御手段とを有することを特徴とする。
【発明の効果】
【００１１】
本発明に係る撮像装置によれば、近接センサの被検出物体がＥＶＦ遮光用のフタか顔かを判定し、フタである場合は、ＥＶＦを消灯することで、無駄な電力の消費を防ぐことができ、有機ＥＬパネルを使用している場合は、輝度劣化を防止することができる。
【図面の簡単な説明】
【００１２】
【図１】実施形態１における撮像装置１００の構成の例を説明するためのブロック図である。
【図２】撮像装置１００の外観の一例を示す図である。
【図３】ＥＶＦ１０５を遮光するためのフタ３０１の外観の一例を示す斜視図である。
【図４】撮像装置１００とＥＶＦ１０５を遮光するためのフタ３０１との外観の一例を示す図である。
【図５】被検出物体がフタ３０１か否かを判定し、その判定結果に応じてＥＶＦ１０５の制御を行う手順の例を説明するためのフローチャートである。
【発明を実施するための形態】
【００１３】
以下、図面を参照して本発明の実施形態を説明する。ただし、本発明は以下の実施形態に限定されるものではない。
【００１４】
［実施形態１］
まず、実施形態１における撮像装置１００の構成について説明する。実施形態１における撮像装置１００は、撮像装置１００の電源オン時のＥＶＦ１０５近傍に設けられた近接センサ１０６の出力値に応じて、近接物が顔かフタ３０１かを判定することができる。
【００１５】
図１は、実施形態１における撮像装置１００の構成の一例を示すブロック図である。図２は、撮像装置１００の外観の一例を示す図である。
【００１６】
撮像装置１００は、撮像部１０１、カメラ信号処理部１０２、ビデオ信号処理部１０３、記録・再生部１０４、ＥＶＦ１０５、近接センサ１０６、操作部１０７、制御マイコン１０８、メモリ１０９、電源ＳＷ１１０などから構成される。
【００１７】
電源ＳＷ１１０は、撮像装置１００の電源をオンまたはオフにするためのスイッチである。制御マイコン１０８は、撮像装置１００全体の制御及び演算処理を司る中央処理装置である。フラッシュメモリ内に記憶される圧縮されたプログラムが解凍されてメモリ１０９に展開され、制御マイコン１０８はメモリ１０９内のプログラムに従って動作する。
【００１８】
メモリ１０９は、制御マイコン１０８のプログラムスタック領域、ステータス記憶領域、演算領域、ワーク用領域、画像表示データ用領域が確保されている。各種の演算は、メモリ１０９の演算領域を利用し、制御マイコン１０８により実行される。
【００１９】
撮像部１０１は、レンズユニットを通して結像された画像を電気信号に変換するための光電変換素子である。カメラ信号処理部１０２は、撮像部１０１から送られてきた電気信号の各種信号処理を施す。ビデオ信号処理部１０３の圧縮伸張処理方式は、モーションＪＰＥＧのような、１枚１枚のコマを独立して圧縮符号化する動画符号化方式でも構わないし、ＭＰＥＧのような、コマによって独立して圧縮符号化したり、前後のコマの差分をとって圧縮符号化したり、また、複数のコマから予測して圧縮符号化したりする動画符号化方式でも構わない。記録・再生部１０４は、ビデオ信号処理部１０３によって所定のフォーマットに圧縮された信号をメモリカード等の記録媒体に記録する。また、再生モード時には、メモリカード等に記録されている画像データを読み出す。
【００２０】
ＥＶＦ（電子ビューファインダ）１０５は、接眼可能なファインダであり、表示装置である。ＥＶＦ１０５は、撮像モード時にはスルー画像を表示する一方、再生モード時には選択された画像等を再生表示する。ＥＶＦ１０５は、筐体内に、ＥＶＦ用画像表示素子としての覗きこみ用の有機ＥＬパネルや液晶パネルと、覗き込み用の表示素子の前面に設けられ、表示画像を観察可能にするための図示しない接眼レンズで構成される。ＥＶＦ１０５への画像表示のＯＮ／ＯＦＦは制御マイコン１０８により制御している。
【００２１】
近接センサ１０６は、物体が近付いたことを検知することができるセンサである。近接センサ１０６は、赤外発光素子と受光素子で構成される。赤外発光素子は、赤外発光レンズ窓より所定の光量の赤外光を照射する。赤外発光レンズ窓より照射された赤外光が被検出物体で反射し、その反射分散した赤外光を受光レンズ窓で集光し、受光素子で光電変換を行う。受光素子で光電変換された電圧値が制御マイコン１０８に送られ、制御マイコン１０８では、その電圧値に対応した被検出物体との距離を計算する。近接センサ１０６は、ＥＶＦ１０５を覗きこんだ場合にＥＶＦ１０５をＯＮし、覗きこんでいない場合には、ＥＶＦ１０５をＯＦＦするために設けられたものであり、図２に示すように、ＥＶＦ１０５の近傍に設置した構成とするのが望ましい。
【００２２】
操作部１０７は、制御マイコン１０８に各種の動作指示を入力するための操作手段である。操作部１０７の各操作部材は、ＥＶＦ１０５に表示される種々の機能アイコンを選択操作することなどにより、場面ごとに適宜機能が割り当てられ、各種機能ボタンとして作用する。例えば、メニューボタンが押されると各種の設定可能なメニュー画面がＥＶＦ１０５に表示される。利用者は、表示されたメニュー画面と、上下左右の４方向に動かすことができる十字ボタンやＳＥＴボタンとを用いて直感的に各種設定を行うことができる。また、動画撮像開始及び終了を指示するＲＥＣボタンや、撮像した画像の再生及び停止を指示する再生ボタン、停止ボタンなどがある。
【００２３】
図３は、ＥＶＦ１０５を遮光するためのフタ３０１の外観の一例を示す斜視図である。図４は、撮像装置１００とＥＶＦ１０５を遮光するためのフタ３０１との外観の一例を示す図である。
【００２４】
図３および図４に示すように、ＥＶＦ１０５を使用していない場合は、フタ３０１を装着することで、太陽光によるＥＶＦ１０５の焼けを防ぐことができる。
【００２５】
次に、図５のフローチャートを参照して、被検出物体がフタ３０１か否かを判定し、その判定結果に応じてＥＶＦ１０５の制御を行う手順の例を説明する。本手順で行われる処理は、制御マイコン１０８がプログラムを実行することによって制御される。
【００２６】
図５において、撮像装置１００の電源が投入されると、Ｓ５０１では、撮像装置１００の電源をオンにし、Ｓ５０２へ進む。
【００２７】
Ｓ５０２では、近接センサ１０６によりＥＶＦ１０５の近傍に被検出物体があるか否かを判定する。被検出物体がある場合はＳ５０３へ進み、被検出物体がない場合はＳ５０５へ進む。
【００２８】
Ｓ５０３では、電源オン直後に被検出物体があるため、被検出物体がフタ３０１であると判定しＥＶＦ１０５を消灯し、Ｓ５０４へ進む。
【００２９】
Ｓ５０４では、近接センサ１０６によりＥＶＦ１０５の近傍に被検出物体があるか否かを判定する。被検出物体がある場合はＳ５０３へ進み、処理を繰り返し、被検出物体がない場合はＳ５０５へ進む。
【００３０】
Ｓ５０５では、ＥＶＦ１０５の近傍に被検出物体が存在しないため、ＥＶＦ１０５を消灯し、Ｓ５０６へ進む。このように、ＥＶＦ１０５を覗きながら撮像装置１００の電源をオンすることはないため、電源オン時に近接物体がない場合はフタ３０１と判定することができる。
【００３１】
Ｓ５０６では、近接センサ１０６によりＥＶＦ１０５の近傍に被検出物体があるか否かを判定する。被検出物体がある場合はＳ５０７へ進み、被検出物体がない場合はＳ５０８へ進む。
【００３２】
Ｓ５０７は、電源オン直後にフタ３０１と判定された被検出物体がなくなった後に被検出物体を検出した場合、もしくは、電源オン直後に被検出物体がなくしばらく経過した後に被検出物体を検出した場合である。そのため、この場合の被検出物体は顔と判定し、ＥＶＦ１０５を点灯し、撮像画像や再生画像を確認可能にする。
【００３３】
Ｓ５０８では、ＥＶＦ１０５の近傍に被検出物体が存在しないため、ＥＶＦ１０５を消灯し、Ｓ５０９へ進む。このように、フタ３０１と判定された近接物体がなくなった後や電源オン時に近接物がなかった場合のその後の動作では近接物体は顔と判定する。
【００３４】
Ｓ５０９では、撮像装置１００の電源が切断されたか否かを判定し、電源が切断されて制御が終了するまで、Ｓ５０６の処理を繰り返す。電源が切断されると、図５のフローチャートが終了する。
【００３５】
このように、実施形態１における撮像装置１００によれば、近接センサ１０６の被検出物体が遮光用のフタ３０１か顔かを判定し、フタ３０１である場合は、ＥＶＦ１０５を消灯することで、無駄な電力の消費を防ぐことができ、有機ＥＬパネルを使用している場合は、輝度劣化を防止することができる。
【００３６】
なお、本発明の実施形態は上述の実施形態に限られるものではない。上述の実施形態は、発明の要旨を逸脱しない範囲で様々な修正又は変形が可能である。
【符号の説明】
【００３７】
１００  撮像装置、１０１  撮像部、１０２  カメラ信号処理部、
１０３  ビデオ信号処理部、１０４  記録・再生部、１０５  ＥＶＦ、
１０６  近接センサ、１０７  操作部、１０８  制御マイコン、
１０９  メモリ、１１０  電源ＳＷ
【図１】
2018207425.tif 000003
【図２】
2018207425.tif 000004
【図３】
2018207425.tif 000005
【図４】
2018207425.tif 000006
【図５】
2018207425.tif 000007